(57)【要約】【課題】収納する際に体積を縮ませることができる折り畳み式ボトルを提供する。【解決手段】ボトル本体４は、キャップ３から離れるにつれて第１の環状壁４１と第２の環状壁４３と第３の環状壁４４とが順番に略一直線に並べられている通常状態でキャップ接続壁４２と第３の環状壁４４側とを近付かせるように押圧した際に、第２の環状壁４３が、径方向において第１の環状壁４１と第３の環状壁４４の間に挟まれる折り畳み状態となり、折り畳み状態で互いに接近したキャップ接続壁４２と第３の環状壁４４側とを離れさせるように引っ張ると通常状態に戻る。【選択図】図３
0003216320.tif 000002
【実用新案登録請求の範囲】
【請求項１】
口に当てるためのマウスピースが形成されたキャップと、可撓性部材により形成され高さ方向に延伸するボトル本体とを備え、
前記ボトル本体は、
前記キャップに着脱可能なキャップ接続壁と、
前記キャップ接続壁における前記キャップが着脱される側とは反対側に形成され、幅の最大値が前記マウスピースの幅を上回る第１の環状壁と、
前記第１の環状壁と連続的に形成されると共に前記第１の環状壁よりも前記高さ方向と直交する径方向の幅が狭い第２の環状壁と、
前記第２の環状壁と連続的に形成されると共に前記第１の環状壁よりも前記径方向の幅が狭い第３の環状壁と、を備え、
前記ボトル本体は、前記キャップから離れるにつれて前記第１の環状壁と前記第２の環状壁と前記第３の環状壁とが順番に略一直線に並ばれている通常状態で前記キャップ接続壁と前記第３の環状壁側とを近付かせるように押圧した際に、前記第２の環状壁が、前記径方向において前記第１の環状壁と前記第３の環状壁の間に挟まれる折り畳み状態となり、そして該折り畳み状態で互いに接近した前記キャップ接続壁と前記第３の環状壁側とを離れさせるように引っ張ると通常状態に戻ることを特徴とする折り畳み式ボトル。
【請求項２】
前記第２の環状壁と前記第１の環状壁の接続箇所と、前記第２の環状壁と前記第３の環状壁の接続箇所の可撓性部材の厚みは、前記ボトル本体を形成するその他の部分より薄く、且つ、
前記第２の環状壁の前記高さ方向の長さは前記第１の環状壁よりも短く、前記第３の環状壁の前記高さ方向の長さは前記第１の環状壁よりも短いことを特徴とする請求項１に記載の折り畳み式ボトル。
【請求項３】
前記第１の環状壁は、前記径方向で外側に向けて突出する中央凸部を有し、
前記第２の環状壁は、前記第１の環状壁から前記第３の環状壁まで円弧状に内側に窄まり、
前記第３の環状壁は、前記第２の環状壁から円弧状に外側に膨らむことを特徴とする請求項１または請求項２に記載の折り畳み式ボトル。
【請求項４】
前記第１の環状壁及び前記第２の環状壁の外側表面は段差が存在することなく連続的に形成されており、前記第２の環状壁及び前記第３の環状壁の外側表面も段差が存在することなく連続的に形成されていることを特徴とする請求項１〜３のいずれか１項に記載の折り畳み式ボトル。
【請求項５】
前記キャップは、
着脱可能に前記ボトル本体に接続する固定座と、
着脱可能に前記固定座に接続する接続座と、
着脱可能に前記接続座に接続し、前記マウスピースを有する機能座と、
を更に備えることを特徴とする請求項１〜４のいずれか１項に記載の折り畳み式ボトル。
【考案の詳細な説明】
【技術分野】
【０００１】
本考案は、液体や固体（粉末など）の輸送と保存に適した容器に関し、特に、乳児にミルクを呑ませるための折り畳み式ボトルに関する。
【背景技術】
【０００２】
図１は、従来の哺乳瓶１１とミルクパウダーボックスセット１２が示される斜視図である。哺乳瓶１１は、その中にミルクパウダーと水が良く混ざるように、一般的に長い瓶に造られる。ミルクパウダーボックスセット１２は、ミルクパウダーを保存できるミルクパウダーボックス１２１からなっている。ミルクパウダーボックス１２１は、それぞれ一食分のミルクパウダーを保存し、乳児にミルクを飲ませるには、１つのミルクパウダーボックス１２１に保存されるミルクパウダーを哺乳瓶１１に入れて水と混ぜることにより行われる。
【考案の概要】
【考案が解決しようとする課題】
【０００３】
自宅以外の場所で乳児にミルクを呑ませる場合もあるため、哺乳瓶１１及びミルクパウダーボックスセット１２をバック等に入れて携帯する場合がある。しかし、従来の哺乳瓶１１とミルクパウダーボックスセット１２は、持ち運ぶ際も大きな体積を占めるので、携帯するには不便である。
【０００４】
よって、本考案は以上の問題点に鑑みて、バック等に収納し持ち運ぶ際は体積を小さくできる折り畳み式ボトルを提供することを目的とする。
【課題を解決するための手段】
【０００５】
上記目的を達成すべく、本考案は、口に当てるためのマウスピースが形成されたキャップと、可撓性部材により形成され高さ方向に延伸するボトル本体とを備え、前記ボトル本体は、前記キャップに着脱可能なキャップ接続壁と、前記キャップ接続壁における前記キャップが着脱される側とは反対側に形成される第１の環状壁と、前記第１の環状壁と連続的に形成されると共に、前記第１の環状壁よりも前記高さ方向と直交する径方向の幅が狭い第２の環状壁と、前記第２の環状壁と連続的に形成されると共に前記第１の環状壁よりも径方向の幅が狭い第３の環状壁と、を備え、前記ボトル本体４は、前記キャップから離れるにつれて前記第１の環状壁と前記第２の環状壁と前記第３の環状壁とが順番に略一直線に並ばれている通常状態で、前記キャップ接続壁と前記第３の環状壁側とを近付かせるように押圧した際に、前記第２の環状壁が、前記径方向において前記第１の環状壁と前記第３の環状壁の間に挟まれる折り畳み状態となり、そして該折り畳み状態で互いに接近した前記キャップ接続壁と前記第３の環状壁側とを離れさせるように引っ張ると通常状態に戻る折り畳み式ボトルを提供する。
【考案の効果】
【０００６】
以上の構成により、ユーザーが外出して、バック等の中に本考案による折り畳み式ボトルを携行する時、従来の哺乳瓶１１と比べて、バック等の中に占める収容空間を節約することができ、利便性を向上させることができる。
【図面の簡単な説明】
【０００７】
【図１】従来の哺乳瓶とミルクパウダーボックスセットが示される斜視図である。
【図２】本考案による折り畳み式ボトルの実施形態が示される斜視図である。
【図３】該実施形態のボトル本体の展開状態を示し、ボトル本体の中心軸を通過する平面における断面図である。
【図４】該実施形態のボトル本体の折り畳み状態を示し、ボトル本体の中心軸を通過する平面における断面図である。
【図５】該実施形態のボトル本体の折り畳み状態を示し、ボトル本体にミルクパウダーを保存した状態におけるボトル本体の中心軸を通過する平面における断面図である。
【図６】乳児の保護者が片手で該実施形態のボトル本体を握って使用する際の様子が示される図である。
【図７】乳児が両手で該実施形態を握って使用する際の様子が示される図である。
【図８】乳児の保護者が片手で器具を使わずに該実施形態のボトル本体を洗浄する様子が示される図である。
【考案を実施するための形態】
【０００８】
図２〜図４を参照して本考案による折り畳み式ボトルを説明する。ここで、図２は本考案による折り畳み式ボトルの実施形態が示される斜視図であり、図３は該実施形態のボトル本体の展開状態を示しボトル本体の中心軸を通過する平面における断面図であり、図４は該実施形態のボトル本体の折り畳み状態を示しボトル本体の中心軸を通過する平面における断面図である。
【０００９】
図２、図３及び図４において、本考案による折り畳み式ボトルは、キャップ３と、底部４５を有しキャップ３と着脱可能に組み合わせることができるボトル本体４と、を備える。
【００１０】
キャップ３は、着脱可能にボトル本体４に接続する固定座３１と、着脱可能に固定座３１に接続する接続座３２と、着脱可能に接続座３２に接続し、口に当てるマウスピース３３１を有する機能座３３と、機能座３３の上に覆うように着脱可能に設置されるキャップフッド３４、を備える。固定座３１のボトル本体４に接続する下部は、外表面にねじが形成されている上部より径が広く、中心軸から外側に向けて拡張するような環状体(例えば円環状)になっている。接続座３２は、内向きに凹んだ中間部分を有し、且つ固定座３１に螺合するための雌ねじ付きの内表面を有するリングである。機能座３３は、ミルク２２をボトル本体４から乳児に供給するためのおしゃぶりの形態のマウスピース３３１を有する（後述する図６に参照）。マウスピース３３１は、乳児がマウスピース３３１を噛んだ時にもミルク２２が塞がれないように通過させるため、内表面に配置された内螺旋リブを有する。ちなみに、マウスピース３３１は、ダックビル、フラットチューブまたは丸い管状チューブの形態であっても良い。キャップフッド３４は、縦方向（高さ方向）に沿ってキャップフッド３４の側面に設けられる凹み溝３４１を有する。キャップフッド３４が例えば床に落ちて転がっている時に、凹み溝３４１が床に接触することによって、キャップフッド３４の回転は止められ、遠くまで転がることを防ぐことができる。
【００１１】
ボトル本体４は、可撓性部材、例えば、半透明の無毒の耐熱性シリコーン材料からなり、キャップ３に着脱可能なキャップ接続壁４２と、キャップ接続壁４２におけるキャップ３が着脱される側とは反対側（要するに下側）に形成される第１の環状壁４１と、第１の環状壁４１と連続的に形成されると共に、第１の環状壁４１よりも高さ方向と直交する径方向の幅が狭い第２の環状壁４３と、第２の環状壁４３と連続的に形成されると共に第１の環状壁４１よりも径方向の幅が狭い第３の環状壁４４と、第３の環状壁４４の下にある底部４５と、を含む。
【００１２】
キャップ３がボトル本体４に取り付けられることにより、ボトル本体４の中に収容空間４９を区画する。第２の環状壁４３と第１の環状壁４１の接続箇所と、第２の環状壁４３と第３の環状壁４４の接続箇所の可撓性部材の厚みは、ボトル本体４を形成するその他の部分より薄い。
【００１３】
また、ボトル本体４は、キャップ３から離れるにつれて第１の環状壁４１と第２の環状壁４３と第３の環状壁４４とが順番に略一直線に並ばれている通常状態で、キャップ接続壁４２と底部４５とを近付かせるように押圧した際に、第２の環状壁４３が、径方向において第１の環状壁４１と第３の環状壁４４の間に挟まれる折り畳み状態となり、そして該折り畳み状態で互いに接近したキャップ接続壁４２と底部４５とを離れさせるように引っ張ると通常状態に戻る。理解し易く説明するため、先ずボトル本体４の通常状態について説明する。
【００１４】
キャップ接続壁４２は、着脱可能にキャップ３に接続でき、且つ、キャップ３に向かって開口する開口部４２１を有する。本実施形態において、キャップ接続壁４２の開口部４２１の幅は、ミルクパウダーを入れ易くするために、乳児の口の大きさに合うマウスピース３３１の幅より広く形成される。
【００１５】
第１の環状壁４１は、キャップ３に向かう上方向及び底部４５に向かう下方向に沿ってそれぞれ延伸すると共に、径方向の外側に向けて突出する中央凸部４１０を有する。本実施形態において、第１の環状壁４１と第２の環状壁４３との間に位置する第２の基準線Ｌ２から、第１の環状壁４１とキャップ接続壁４２との間に位置する第１の基準線Ｌ１までの距離である第１の環状壁４１の高さＨ１は約５３．５ｍｍである。
【００１６】
第１の環状壁４１の中央凸部４１０における曲率半径は、３５ｍｍ〜７９０ｍｍの範囲内である。更に、第１の環状壁４１は、キャップ接続壁４２に連接する接続壁部４１１と、第２の環状壁４３に折り畳み可能に接続すると共に、厚みが第２の環状壁４３に近づくほど薄くなる第１の壁部４１２と、を有する。
【００１７】
本実施形態において、接続壁部４１１における幅の最大値である第１の幅Ｗ１は、約８１．５ｍｍである。また、別の実施形態において、第１の環状壁４１の高さＨ１は、４３．５ｍｍ〜６３．５ｍｍの範囲であり、第１の幅Ｗ１は、７１．５ｍｍ〜９１．５ｍｍの範囲であり、マウスピース３３１の幅Ｗ０を上回る。また、第１の環状壁４１の幅は全体的にキャップ接続壁４２の外径である、開口部４２１の幅を上回る。
【００１８】
第２の環状壁４３は、第１の環状壁４１から下方向へ延伸し、且つ、第１の壁部４１２に折り畳み可能に接続すると共に、厚みが第１の壁部４１２に近づくほど薄くなる第２の壁部４３１と、第３の環状壁４４に折り畳み可能に接続すると共に、厚みが第３の環状壁４４に近づくほど薄くなる第３の壁部４３２と、第２の壁部４３１と第３の壁部４３２の間に介在して接続する中継壁部４３３と、を有する。
【００１９】
よって、第１の壁部４１２と第２の壁部４３１の間において最も薄い箇所に第１の折り線４６が形成される。第３の環状壁４４は、第２の環状壁４３から下方向へ延伸し、湾曲可能に第２の環状壁４３に接続すると共に、延伸の先端が底部４５に接続する。第３の環状壁４４の厚みは、第３の壁部４３２に近づくほど薄くなる。よって、第３の壁部４３２と第３の環状壁４４の間において最も薄い箇所に第２の折り線４７が形成される。すなわち、第１の環状壁４１と第２の環状壁４３は第１の折り線４６を介して接続され、第２の環状壁４３と第３の環状壁４４は第２の折り線４７を介して接続されている。
【００２０】
本実施形態において、第２の環状壁４３と第３の環状壁４４と間に位置する第３の基準線Ｌ３から、第２の基準線Ｌ２までの距離である第２の環状壁４３の高さＨ２は、約２５ｍｍであり、第１の環状壁４１の高さＨ１を下回る。第１の折り線４６が形成される箇所の幅である第２の幅Ｗ２は、約６６ｍｍであり、第１の幅Ｗ１を下回る。第２の折り線４７が形成される箇所の幅である第３の幅Ｗ３は、約５７．７ｍｍである。中継壁部４３３の厚みの平均値は、第２の壁部４３１及び第３の壁部４３２の厚みの平均値をそれぞれ上回る。別の実施形態において、第２の幅Ｗ２は５６ｍｍ〜７６ｍｍの範囲内であり、第３の幅Ｗ３は４７．７ｍｍ〜６７．７ｍｍの範囲内であっても良い。
【００２１】
また、第３の環状壁４４における幅の最大値である第４の幅Ｗ４は、約６０ｍｍであり、第３の幅Ｗ３を上回ると共に第２の幅Ｗ２を下回る。別の実施形態において、第４の幅Ｗ４は、５０ｍｍ〜７０ｍｍの範囲内であっても良い。
【００２２】
第１の折り線４６と第２の折り線４７が形成されているボトル本体４の内側表面と異なり、ボトル本体４の第１の環状壁４１及び第２の環状壁４３の外側表面は、段差が存在することなく連続的に形成されている。なお、第２の環状壁４３及び第３の環状壁４４の外側表面も段差が存在することなく連続的に形成されている。第２の環状壁４３が、第１の環状壁４１から第２の方向に沿って延伸しつつ、円弧状に内側へ窄まるように収束すると共に、第３の環状壁４４が、第２の環状壁４３から第２の方向に沿って延伸しつつ、円弧状に外側に向けて膨らむことによって、第２の環状壁４３と第３の環状壁４４から形成される外側表面に、第３の環状壁４４の内側に向かって凹むようアーク４８が形成される。アーク４８における曲率半径は、１０ｍｍ〜３５０ｍｍの範囲に含まれる。
【００２３】
底部４５には、上方向に向かって凹む環状槽４５１が形成され、環状槽４５１に囲まれると共に、下方向に向かって突出する突出部４５２も形成される。底部４５の一番下に位置する第４の基準線Ｌ４から、第３の基準線Ｌ３までの距離である第３の環状壁４４の高さＨ３は、２５．５ｍｍであり、第１の環状壁４１の高さＨ１を上回らない。別の実施形態において、第３の環状壁４４の高さＨ３は、１５．５ｍｍ〜３５．５ｍｍの範囲内であっても良く、第１の環状壁４１の高さＨ１の半分を上回らなくても良い。
【００２４】
図４に示されるように、ボトル本体４の折り畳み状態において、第１の環状壁４１の第１の壁部４１２の下側の端部が底部４５と同じ高さまで下がる。その際、第２の環状壁４３は、第１の折り線４６の部分で上向きに折れ曲がるので、第２の環状壁４３と第３の環状壁４４とによって形成される（第２の折り線４７に位置する）角は収容空間４９において上向きに突起する。また、第４の幅Ｗ４は、第２の幅Ｗ２を下回ると共に、第２の環状壁４３の高さＨ２及び第３の環状壁４４の高さＨ３は、第１の環状壁４１の高さＨ１を上回らないので、結果として、図４に示されるように、第３の環状壁４４は、第２の環状壁４３の中に収容される。折り畳み状態では、収容空間４９の容積は約半分に縮まる。
【００２５】
図５は該実施形態のボトル本体４の折り畳み状態において、ボトル本体４にミルクパウダーを保存する様子が示され、ボトル本体４の中心軸を通過する平面における断面図であり、図６は幼児の保護者が片手で該実施形態のボトル本体４を握って使用する際の様子が示される図である。
【００２６】
使用する際に、ボトル本体４を折り畳み状態にすると、占有する空間の約半分を節約ことができ、ボトル本体４の中にミルクパウダーを予め収容することもできる。ミルクを飲む前に、使用者が直接底部４５の突出部４５２を引っ張り出すと、ボトル本体４は通常状態に切り替えられる。そしてお湯を注入し、キャップ３をキャップ接続壁４２にしっかり取付けてからボトル本体４を振ることによって、ミルク２２を飲めるようになる。
【００２７】
更に、図６に示されるように、ミルクを作る際、幼児の保護者がシリコーンで製造されたボトル本体４を握ると、収容空間４９の圧力の上昇によってミルク２２の流出を加速する効果が得られる。また、ボトル本体４を折り畳み状態から通常状態に切り替えるもう１つの方法として、使用者は直接第１の環状壁４１の中央凸部４１０を圧迫すると、底部４５の突出部４５２に触れず、第２の環状壁４３及び第３の環状壁４４が自然に第１の環状壁４１の中から伸張する。
【００２８】
図３、図６及び図７において、本実施形態による折り畳み式ボトルは、乳児でも快適に掴んで使用することができるようにデザインされたことが示される。ここで、図７は、乳児は両手で該実施形態を両手で持って使用する際の様子が示される図である。図６に示されるように、第１の環状壁４１の中央凸部４１０が幼児の保護者や保育園の保育士の掌にぴったり接触し、アーク４８が、親指と人差し指との間のたるんだまたの部分にもぴったり接触するので、使用する時に折り畳み式ボトルが手から滑り落ちることを防ぐことができる。子供使用者の場合、図７に示されるように、中央凸部４１０が両手に包み込むように持たれるので、上記した滑り止め効果も実現し得る。また、底部４５の幅である第４の幅Ｗ４が第３の幅Ｗ３を上回ることによって、例えば机の上に底部４５が下に向けたまま本実施形態を置く時の安定性を向上し、より多い容積を確保することができる。
【００２９】
図８は、乳児の保護者が片手で器具を使わずに該実施形態のボトル本体４を洗浄する様子が示される図である。通常状態において、従来の哺乳瓶と同じように洗浄器具を使って洗浄することができる上、更に、折り畳み状態において、洗浄器具を使わずに、乳児の保護者が自らの手のみで底部４５の内側表面を触ることが可能であるので、綺麗に洗浄することができる。通常状態と折り畳み状態の間で切り替えることが、突出部４５２によって簡単に行われるので、乳児の保護者にとって、突出部４５２は便利性をもたらす。
【００３０】
ボトル本体４の外側表面は、全体的に段差が存在せずに連続になっているので、シンプルでスタイリッシュなデザインである。
【００３１】
本実施形態は、製造工程を調整することによって、異なる色を持つ折り畳み式ボトルを生産することができるので、乳児の保護者の好みに応じて異なる色のキャップ３とボトル本体４を組み合わせて自分なりのカスタマイズを行うことができる。以上のように乳児の保護者に新鮮味をもたらすことによって、より長く本実施形態を使用したいようにさせることができる。また、キャップ３は、固定座３１と、接続座３２と、機能座３３と、３つの部品から組み立てるものであり、一部の部品が老朽化し、新たな部品と交換しなければならない時でも、キャップ３の全体を丸ごと捨てることを代わりに、交換が必要な部品だけを購入して交換すれば良い。
【００３２】
更に、子供が離乳し、哺乳する必要がなくなる時、本実施形態におけるキャップ３の機能座３３を外し、マウスピース３３１を、例えば、フラットチューブと交換すると、子供は本実施形態を哺乳瓶としてではなく、小型の水ボトルとして使い続けることができる。結果として、本実施形態は資源の浪費を抑えることができ、環境保護にも貢献できる。
【産業上の利用可能性】
【００３３】
以上のように、本考案の折り畳み式ボトルは、通常状態において、従来と同様にミルクが飲み易く、折り畳み状態において占有する空間が少なく、更に洗浄器具を使わずに洗浄可能であるので、使用者のバック等の中に占有する収容空間を節約ことができ、便利性を向上させることができる。
【符号の説明】
【００３４】
３        キャップ
３１      固定座
３２      接続座
３３      機能座
３３１    マウスピース
３４      キャップフッド
３４１    凹み溝
４        ボトル本体
４１      第１の環状壁
４１０    中央凸部
４１１    接続壁部
４１２    第１の壁部
４２      キャップ接続壁
４２１    開口部
４３      第２の環状壁
４３１    第２の壁部
４３２    第３の壁部
４３３    中継壁部
４４      第３の環状壁
４５      底部
４５１    環状槽
４５２    突出部
４６      第１の折り線
４７      第２の折り線
４８      アーク
４９      収容空間
Ｈ１      第１の環状壁４１の高さ
Ｈ２      第２の環状壁４３の高さ
Ｈ３      第３の環状壁４４の高さ
Ｗ０      マウスピースの幅
Ｗ１      第１の幅
Ｗ２      第２の幅
Ｗ３      第３の幅
Ｗ４      第４の幅
Ｌ１      第１の基準線
Ｌ２      第２の基準線
Ｌ３      第３の基準線
Ｌ４      第４の基準線
【図１】
0003216320.tif 000003
【図２】
0003216320.tif 000004
【図３】
0003216320.tif 000005
【図４】
0003216320.tif 000006
【図５】
0003216320.tif 000007
【図６】
0003216320.tif 000008
【図７】
0003216320.tif 000009
【図８】
0003216320.tif 000010